【事件の表示】
　特願２００９−　９５４６０「感触改善剤及びそれを配合した皮膚化粧料並びに感触改善方法」拒絶査定不服審判事件〔平成２１年１２月１７日出願公開、特開２００９−２９２８０９〕について、次のとおり審決する。
【結　論】
　本件審判の請求は、成り立たない。
【理　由】
１．　手続の経緯
　本願は、平成２１年４月１０日（優先権主張　平成２０年５月９日）の出願であって、平成２５年６月２８日付けで拒絶理由が通知され、同年９月２日に意見書及び手続補正書が提出され、同年１０月４日付けで拒絶理由が通知され、同年１２月４日に意見書及び手続補正書が提出されたが、平成２６年８月２５日付けで拒絶査定され、これに対し、同年１１月２６日に拒絶査定不服審判の請求がされ、同年１２月１２日に審判請求書の請求の理由の手続補正書（方式）が提出されたものである。
２．　本願発明
　本願の請求項１〜２に係る発明は、平成２５年１２月４日に提出された手続補正書の特許請求の範囲の請求項１〜２に記載された事項により特定されるとおりのものと認められ、このうち請求項１に係る発明（以下、「本願発明」という。）は次のとおりである。
「肌のすべり性が優れた状態となる皮膚感触改善剤（但し、浴用を除く。）であって、メタケイ酸ナトリウム、オルトケイ酸ナトリウム、水ガラスからなる群より選ばれる１種または２種以上のケイ酸関連物質を有効成分として含有し、２０℃でのｐＨが８〜１２であることを特徴とする皮膚感触改善剤（但し、浴用を除く。）。」
３．　引用文献及び引用発明
（１）　原査定で引用文献１として引用され、本願優先日前に頒布されたことが明らかな特開平９−２６３５２９号公報（以下、「引用文献１」という。）には、次の事項が記載されている。
［１ａ］　「【特許請求の範囲】
【請求項１】　ケイ酸関連物質を含有することを特徴とする表皮角質化促進剤。
【請求項２】　ケイ酸関連物質が、ケイ酸，メタケイ酸，オルトケイ酸からなる群から選択されるものである請求項１記載の表皮角質化促進剤。
【請求項３】　ケイ酸関連物質が、メタケイ酸ナトリウム，ケイ酸カリウム，オルトケイ酸ナトリウム，水ガラスからなる群から選択されるものである請求項１記載の表皮角質化促進剤。
【請求項４】　ケイ酸関連物質と酸を含有することを特徴とする表皮角質化促進剤。
【請求項５】　ケイ酸関連物質が、ケイ酸，メタケイ酸，オルトケイ酸からなる群から選択されるものである請求項４記載の表皮角質化促進剤。
【請求項６】　ケイ酸関連物質が、メタケイ酸ナトリウム，ケイ酸カリウム，オルトケイ酸ナトリウム，水ガラスからなる群から選択されるものである請求項４記載の表皮角質化促進剤。」
［１ｂ］　「【０００１】
【発明の属する技術分野】本発明は、ケイ酸関連物質、例えばケイ酸、メタケイ酸、オルトケイ酸、水ガラスなどを有効成分とする表皮角質化促進剤に係る。更に詳しくは、表皮細胞の角質化を促進することで皮膚バリア機能を改善し、アトピー性皮膚炎や乾癬、乾皮症、肌荒れ、頭皮のフケ症、唇の荒れなど各種皮膚疾患の改善に有効な、ケイ酸関連物質またはその塩を有効成分とする表皮角質化促進剤に関する。」
［１ｃ］　「【０００２】
【従来の技術】健全な皮膚表皮における角質層は、優れたバリア機能を有し、体内の水分蒸散を防ぐと共に、外来抗原などの異物が体内に侵入することや外的刺激が体内に伝わることを防ぐなど、生体防御に重要な役割を果たしている。それに対し、アトピー性皮膚炎、乾癬、乾皮症、肌荒れ、頭皮のフケ症、唇の荒れなど各種皮膚疾患においては、健全な角質層の形成が妨げられていることが知られている（J. Soc. Cosmet. Chem. Japan 、23巻、1 号、5 頁、1989年）。
【０００３】この角質層の形成不全すなわち不全角化は、皮膚のバリア機能の低下をもたらし、水分の蒸散や外来の異物の侵入、外的刺激の体内への伝達が容易となり、皮膚の乾燥や各種皮膚疾患の惹起あるいは悪化に結びつくと考えられる。」
［１ｄ］　「【００１３】本発明の表皮角質化促進剤の形態としては、ケイ酸関連物質，またはこれらを水、中和水、酸性水などで希釈したもの、あるいは希釈したものにさらにメチルパラベン等の防腐剤などを適宜添加したもの等が挙げられる」
［１ｅ］　「【００１８】試験例１（角質化促進試験）
（１）方法
（ａ）培養表皮細胞
ヒト正常表皮細胞は市販品（Cascade Biology 社製）を用いた。
【００１９】（ｂ）細胞培養用培地
培地としては、ＭＣＤＢ１５３ＨＡＡ培地（極東社製）をベースにして、これにハイドロコーチゾン（０．５μＭ）、エタノールアミン（０．１ｍＭ）、ホスホエタノールアミン（０．１ｍＭ）、インシュリン（５μｇ／ｍｌ）、およびＥＧＦ（上皮細胞成長因子：１０ｎｇ／ｍｌ）を加えたＫ−ＧＭ培地を用いた。又細胞の増殖培養時には、これにＢＰＥ（牛脳下垂体抽出液）（Cascade Biology社製）を添加して（４μｌ／ｍｌ培地）用いた。
【００２０】（ｃ）Ｈｅｐｅｓ緩衝液の調製
Ｈｅｐｅｓ７．１５g 、グルコース１．８g 、塩化カリウム０．２２g 、塩化ナトリウム７．７g 、リン酸水素二ナトリウム・１２水和物０．２７g を精製水に溶解し、１Ｎ水酸化ナトリウム水溶液にてｐＨ７．４に調製後、１ｌにメスアップした。
【００２１】（ｄ）細胞培養
正常ヒト表皮細胞の細胞数をＫ−ＧＭ培地（ＢＰＥ添加）にて１×１０4 個／ｍｌに調製し、２４穴コラーゲンコートプレート（コーニング社製）に１ｍｌずつ播種し、９５％空気（Ｖ／Ｖ）−５％（Ｖ／Ｖ）炭酸ガスの雰囲気下、３７℃で４日間静置培養した。その後、終濃度０．０１，０．１，１ｍＭの各メタケイ酸ナトリウム、水ガラス、オルトケイ酸ナトリウム、ケイ酸カリウムおよび対照として精製水を添加したＫ−ＧＭ培地（ＢＰＥ添加：０．４μｌ／ｍｌ培地）に交換して、９５％空気（Ｖ／Ｖ）−５％（Ｖ／Ｖ）炭酸ガスの雰囲気下、３７℃で７日間静置培養した。この間２日置きに培地交換を行った。
【００２２】（ｆ）角質膜形成能の測定
培養後、培養上清を吸引除去し、Ｈｅｐｅｓ緩衝液で２回洗浄した後、細胞をトリプシン処理で剥離させた。その後、残りの細胞を２０μｇ／ｍｌのカルシウムイオノフォア（Ａ２３１８７）および１．２５ｍＭカルシウムイオンを含む５００μｌの培地にて３７℃／２時間静置し、更に１％ＳＤＳ（ラウリル硫酸ナトリウム）／２０ｍＭ  ＤＴＴ（ジチオスレイトール）液に細胞を溶解し、１００℃  ５分間熱処理をした。熱処理後、不溶化細胞数（角質化細胞数）を計測した。
【００２３】（２）結果
試験例１で用いた、ケイ酸関連物質の効果を表１に示した。薬剤無添加の対照に比べ、ケイ酸関連物質添加培養では表皮細胞の角質化細胞数の上昇が見られ、ケイ酸関連物質がヒト表皮細胞自体の角質化を促進することが分かった。
【００２４】
【表１】
┏━━━━━━━━━━━━━━━━━━━━━━━━━━━━━━━━┓
┃添加物質　　　　　　　　添加濃度（ｍＭ）　　表皮細胞の角質化数　┃
┃　　　　　　　　　　　　　　　　　　　　　×１００００／ｗｅｌｌ┃
┃　　　　　　　　　　　　　　　　　　　　　　　平均値±標準偏差　┃
┣━━━━━━━━━━━━━━━━━━━━━━━━━━━━━━━━┫
┃精製水　　　　　　　　　　０　　　　　　　１０．０　±　１．０　┃
┠────────────────────────────────┨
┃　　　　　　　　　　　　　０．０１　　　　１３．８　±　１．３* ┃
┃メタケイ酸ナトリウム　　　０．１　　　　　１３．４　±　３．０* ┃
┃　　　　　　　　　　　　　１．０　　　　　１３．４　±　１．３* ┃
┠────────────────────────────────┨
┃　　　　　　　　　　　　　０．０１　　　　　９．２　±　１．２　┃
┃ケイ酸カリウム　　　　　　０．１　　　　　１２．７　±　２．４　┃
┃　　　　　　　　　　　　　１．０　　　　　　９．７　±　１．６　┃
┠────────────────────────────────┨
┃　　　　　　　　　　　　　０．０１　　　　　９．３　±　１．８　┃
┃オルトケイ酸ナトリウム　　０．１　　　　　１３．０　±　１．３　┃
┃　　　　　　　　　　　　　１．０　　　　　１１．１　±　１．３　┃
┠────────────────────────────────┨
┃　　　　　　　　　　　　　０．０１　　　　１５．２　±　３．１**┃
┃水ガラス　　　　　　　　　０．１　　　　　１３．０　±　１．０**┃
┃　　　　　　　　　　　　　１．０　　　　　１３．９　±　１．７**┃
┣━━━━━━━━━━━━━━━━━━━━━━━━━━━━━━━━┫
┃ *  P<0.05の危険率で有意差有り(Dunnett) 。　　　　　　　　　　　  ┃
┃　**  P<0.01の危険率で有意差有り(Dunnett) 。　　　　　　　　　　  ┃
┗━━━━━━━━━━━━━━━━━━━━━━━━━━━━━━━━┛
」　
［１ｆ］　「【００２５】試験例２  （肌荒れ抑制試験）
（１）方法
レチノイン酸によって誘発されるマウス肌荒れモデルを用い、メタケイ酸ナトリウムおよび比較として精製水の、肌荒れに対する予防・改善効果を調べた。
【００２６】供試動物としてヘアレスマウス（ｈｒ−１系の雄）を購入し、１０週齢まで飼育した後、１群５匹で実験を開始した。
【００２７】肌荒れの作成方法としては、ヘアレスマウスの後背部に、エタノールに溶解した４００μｇ／ｍｌのレチノイン酸を５０μl 、３日間塗布して肌荒れを誘発した。
【００２８】肌荒れ抑制効果の検討に当たっては、０．５％−N-NP-15 （ノニオン系ポリオキシエチレン（15E.O.）ノニルフェニルエーテル，日光ケミカル）に溶解した２ｍＭメタケイ酸ナトリウムあるいは、対照群として０．５％−N-NP-15 を、それぞれのヘアレスマウス群の後背部に一日一回５０μl 、連続１２日間塗布した。塗布スケジュールは、レチノイン酸塗布前７日間、レチノイン酸塗布期間３日間、および塗布後２日間で行った。レチノイン酸塗布期間３日間において、レチノイン酸塗布部位とメタケイ酸ナトリウムや精製水の塗布部位とが同じであることから、レチノイン酸塗布６時間後にメタケイ酸ナトリウムや精製水を塗布した。
【００２９】経表皮水分損失量（ＴＥＷＬ）の測定はＡＭＵ−３（フォーション社製）を用いて行い、水分蒸散量（mg /cm2 /min）で示した。また測定時期は、塗布開始直前及び開始後３日目に設定した。
【００３０】（２）結果
試験例２で用いたメタケイ酸ナトリウムの、肌荒れ改善効果を表２に示した。ヘアレスマウス背部へのレチノイン酸塗布により、対照群は塗布開始後から３日間でＴＥＷＬの上昇が約９倍見られたが、メタケイ酸ナトリウム塗布群はＴＥＷＬの上昇が５倍程度に抑制された。この事は、メタケイ酸ナトリウムがレチノイン酸による肌荒れの惹起を抑制し、肌荒れの改善、予防効果を示したと言える。
【００３１】
【表２】
┏━━━━━━━━━━━━━━━━━━━━━━━━━━━━━━━━┓
┃　　　　　　　　　　　　　　　　　　ＴＥＷＬ　平均値±標準誤差　┃
┃　　　　　　　　　　　　　　　　　　（ｍｇ／ｃｍ2 ／ｍｉｎ）　　┃
┠────────────────────────────────┨
┃肌荒れ誘発前　対照群　　　　　　　　　０．０２０　　　０．００３┃
┃　　　　　　　メタケイ酸ナトリウム　　０．０２１　　　０．００２┃
┠────────────────────────────────┨
┃肌荒れ誘発後　対照群　　　　　　　　　０．１８８　　　０．０１３┃
┃　　　　　　　メタケイ酸ナトリウム　　０．１１８　　　０．００５┃
┗━━━━━━━━━━━━━━━━━━━━━━━━━━━━━━━━┛
」
［１ｇ］　「【００３２】試験例３
メタケイ酸ナトリウムを含む入浴剤について、以下のように肌荒れを訴えるパネラーでの入浴効果を調べた。
【００３３】応用例１７の入浴剤１００ｇを４１℃のお湯１８Ｌに投入した。比較としては１８Ｌのお湯（さら湯）を用いた。皮膚乾燥、かさつきの様な肌荒れを訴える女性パネラー３名について、右腕を応用例１７のお湯に、左腕を比較のお湯に、１日１回、５分間浸漬し、これを４週間（土、日は省く）部分浴させた。試験前および４週間の試験終了後、皮膚の角層水分含有量をＳＫＩＣＯＮ−２００で、皮膚の落屑の状態を拡大ビデオカメラで観察して調べ下記表３に示す基準で評価した。
【００３４】観察した皮丘、皮溝、落屑の状態の点数
【００３５】
【表３】
┌────────────────────────┐
│５点　　皮丘、皮溝がはっきりしている。　　　　　│
│４点　　皮丘、皮溝がやや不鮮明。　　　　　　　　│
│３点　　皮丘、皮溝が不鮮明で若干落屑が見られる。│
│２点　　皮丘、皮溝が不鮮明で落屑が見られる。　　│
│１点　　皮丘、皮溝が不鮮明で落屑が多く見られる。│
└────────────────────────┘
【００３６】入浴効果を評価した結果を表４に示した。メタケイ酸ナトリウムを含む入浴剤を用いた場合、さら湯と比べ、皮膚表面の皮溝状態は鮮明となり、落屑量が少なくなっている事が観察され、肌荒れが改善された。
【００３７】
【表４】
┌─────┬───────────────────────┐
│　　　　　│　　　パネラー　３名の平均値　　　　　　　　　│
│　　　　　├───────────────────────┤
│　　　　　│皮丘皮溝、落屑の状態　　角層水分含有量（μＳ）│
├─────┼───────────────────────┤
│応用例１７│　　　３．０　　　　　　　　２０．４　　　　　│
│さら湯　　│　　　１．６　　　　　  　　　 ７．１　　　　　│
└─────┴───────────────────────┘」
［１ｈ］　「【００５１】応用例１７
表９に示した処方の入浴剤組成物を、粉体を混合する通常の方法で調製し、メタケイ酸ナトリウム４８．９５ｇを含む入浴剤を１００ｇ作製した。
【００５２】
【表９】
┌────────────────────────────────┐
│　メタケイ酸ナトリウム　　　　　　　　　　　　　　４８．９５　ｇ│
│　クエン酸１水和物　　　　　　　　　　　　　　　　５０．００　ｇ│
│　香料　　　　　　　　　　　　　　　　　　　　　　　１．００　ｇ│
│　有機色素　　　　　　　　　　　　　　　　　　　　　０．０５　ｇ│
├────────────────────────────────┤
│　　　　　　　　　　　　　　　　　　　　　　　　１００．００　ｇ│
└────────────────────────────────┘
」
［１ｉ］　「【００５３】
【発明の効果】以上の如く、本発明により、皮膚表皮層内部で表皮細胞の角質化を促進し、皮膚バリアー機能を改善することにより、アトピー性皮膚炎、乾癬を始め、乾皮症、肌荒れ、頭皮のフケ症、さらに口唇の荒れなどの皮膚疾患の改善に有効な表皮角質化促進剤を提供できることは明らかである。」 
　
（２） 　引用文献１には、ケイ酸関連物質を含有する表皮角質化促進剤（摘示［１ａ］、［１ｂ］及び［１ｉ］）が記載されており、当該表皮角質化促進剤の試験例として「試験例２  （肌荒れ抑制試験）」（摘示［１ｆ］）が記載されている。
　そして、引用文献１の上記「試験例２  （肌荒れ抑制試験）」で使用されている試料からみて、引用文献１には以下の発明（以下、「引用発明」という。）が記載されている。
「０．５％−N-NP-15 （ノニオン系ポリオキシエチレン（15E.O.）ノニルフェニルエーテル，日光ケミカル）に溶解した２ｍＭメタケイ酸ナトリウム」
４．　対比
　本願発明と引用発明とを対比する。
（１）　まず、本願発明の「肌のすべり性が優れた状態となる皮膚感触改善剤（但し、浴用を除く。）であって、メタケイ酸ナトリウム、オルトケイ酸ナトリウム、水ガラスからなる群より選ばれる１種または２種以上のケイ酸関連物質を有効成分として含有」する「ことを特徴とする皮膚感触改善剤（但し、浴用を除く。）。」という特定事項について検討する。
　引用文献１には、「試験例１（角質化促進試験）」（摘示［１ｅ］）において、メタケイ酸ナトリウムに「ヒト表皮細胞自体の角質化を促進する」（【００２３】）効果があることが示されており、また、上記「試験例２  （肌荒れ抑制試験）」（摘示［１ｆ］）において、「メタケイ酸ナトリウムがレチノイン酸による肌荒れの惹起を抑制し、肌荒れの改善、予防効果」（【００３０】）があることが示されており、さらに、「試験例３」(摘示［１ｇ］及び［１ｈ］)において、メタケイ酸ナトリウムを含む入浴剤に「肌荒れが改善」（【００３６】）する効果があることが示されている。
　そして、上記「試験例２  （肌荒れ抑制試験）」において、引用発明は「エタノールに溶解した４００μｇ／ｍｌのレチノイン酸を５０μl 、３日間塗布して肌荒れを誘発した」（【００２７】）「ヘアレスマウス群の後背部に一日一回５０μl 、連続１２日間塗布」（【００２８】）するという態様で使用されているものである。
　そうすると、引用発明は、「皮膚表皮層内部で表皮細胞の角質化を促進し、皮膚バリアー機能を改善することにより・・・肌荒れ・・・などの皮膚疾患の改善に有効な表皮角質化促進剤」（摘示［１ｉ］）といえ、肌荒れなどの皮膚疾患の改善がされれば、皮膚感触が改善されるのは明らかであるから、引用発明は、本願発明でいう「皮膚感触改善剤」といえる。
　また、引用発明は、上記したように皮膚に塗布して使用されるものであり、さらに、引用文献１には、上記「試験例２  （肌荒れ抑制試験）」とは別に入浴剤に関する上記「試験例３」が記載されているのであるから、引用発明が浴用ではないことは明らかである。そうすると、引用発明は本願発明の「（但し、浴用を除く。）」という特定事項も満たしている。
　よって、引用発明と本願発明とは、「皮膚感触改善剤（但し、浴用を除く。）であって、メタケイ酸ナトリウム、オルトケイ酸ナトリウム、水ガラスからなる群より選ばれる１種または２種以上のケイ酸関連物質を有効成分として含有」する「ことを特徴とする皮膚感触改善剤（但し、浴用を除く。）。」という点で共通する。
　
（２）　次に、本願発明の「２０℃でのｐＨが８〜１２である」という特定事項について検討する。
ア．　本願発明の特定事項からは、どのような条件（メタケイ酸ナトリウム等のケイ酸関連物質以外の成分の有無やメタケイ酸ナトリウムの質量％等）を満たせば、本願発明の「２０℃でのｐＨが８〜１２である」という特定事項を満たすのかが必ずしも明らかでない。
　そこで、本願明細書をみると、【００２４】の【表１】で、メタケイ酸ナトリウムを精製水に室温で溶解した場合（【００２０】）、「ｐＨが８〜１２である」という範囲内にあるのは、メタケイ酸ナトリウムの質量％が０．００００３質量％（ｐＨは８．１、実施例６）〜０．１質量％（ｐＨ１１．８、実施例３）の範囲内にある場合であることが分かる。（ｐＨが８未満の実施例は記載されておらず、メタケイ酸ナトリウムの質量％が０．６質量％ではｐＨ１２．２となる実施例７が記載されている。）
　そうすると、精製水にメタケイ酸ナトリウムを室温で溶解したもので、メタケイ酸ナトリウムの質量％が０．００００３質量％〜０．１質量％の範囲内にあるものという条件を満たせば、本願発明の「２０℃でのｐＨが８〜１２である」という特定事項を満たすと解される。
　そこで、引用発明が上記条件を満たすか検討する。
イ．　まず、上記条件のうち、精製水にメタケイ酸ナトリウムを室温で溶解したものという条件について検討する。　
　引用文献１の上記「試験例２  （肌荒れ抑制試験）」（摘示［１ｆ］）の「レチノイン酸によって誘発されるマウス肌荒れモデルを用い、メタケイ酸ナトリウムおよび比較として精製水の、肌荒れに対する予防・改善効果を調べた。」（【００２５】）、「肌荒れ抑制効果の検討に当たっては、０．５％−N-NP-15 （ノニオン系ポリオキシエチレン（15E.O.）ノニルフェニルエーテル，日光ケミカル）に溶解した２ｍＭメタケイ酸ナトリウムあるいは、対照群として０．５％−N-NP-15 を、それぞれのヘアレスマウス群の後背部に一日一回５０μl 、連続１２日間塗布した。」（【００２８】）という記載からみて、対照（比較例）は、精製水にN-NP-15を０．５％含むものであると解するのが自然である。また、引用文献１ではメタケイ酸ナトリウムを水に溶解することも記載されている（摘示［１ａ］、［１ｄ］）。さらに、メタケイ酸ナトリウムを溶解する際の温度は明記されていないが、通常室温であると解される。そうすると、引用発明は、精製水にN-NP-15を０．５％含むものにメタケイ酸ナトリウムを２ｍＭとなるように室温で溶解したものと解される。
　そうすると、引用発明は、上記条件のうち、精製水にメタケイ酸ナトリウムを室温で溶解したものという条件を満たさないように見受けられる。
ウ．　しかしながら、引用発明において、メタケイ酸ナトリウムが溶解される精製水にN-NP-15を０．５％含むものは、対照からみて、技術的な位置付けは精製水であり、しかも、含まれるN-NP-15の成分はノニオン系ポリオキシエチレン（15E.O.）ノニルフェニルエーテルであって、ノニオン（非イオン）であるから、ｐＨ調整機能を通常有さないと解される。そうすると、技術的にみれば、引用発明は、上記条件のうち、精製水にメタケイ酸ナトリウムを室温で溶解したものという条件を満たすと解される。
　
エ．　次に、上記条件のうち、メタケイ酸ナトリウムの質量％が０．００００３質量％〜０．１質量％の範囲内にあるものという条件も満たすか検討する。
　引用発明の「２ｍＭメタケイ酸ナトリウム」の「ｍＭ」がモル濃度を表す単位であることは技術常識であり、「ｍＭ」は、一般的には、（溶質の物質量［ｍｏｌ］）／（溶液の体積［ｍ３］）で計算されるものである。そして、メタケイ酸ナトリウムのモル質量は、１２２．０６［ｇ／ｍｏｌ］であるから、引用発明の室温における密度［ｋｇ／ｍ３］が明らかとなれば、引用発明の単位質量［ｋｇ］あたりの体積［ｍ３］が計算できることから、引用発明のメタケイ酸ナトリウムの質量％が計算できることになる。
　ここで、引用文献１をみても、引用発明の室温における密度［ｋｇ／ｍ３］は記載されていないが、引用発明に含まれると解される精製水以外の成分とその含有量からみて、引用発明の室温における密度［ｋｇ／ｍ３］は、精製水の室温における密度［ｋｇ／ｍ３］と大きく変わるものではないと解されるから、１×１０３［ｋｇ／ｍ３］程度であると解される。
　そこで、引用発明におけるメタケイ酸ナトリウムの質量％を計算すると、（２×１２２．０６×１０−３）／（１×１０３）×１００＝０．０２４４質量％程度となる。
　そうすると、技術的にみれば、引用発明は、上記条件のうち、メタケイ酸ナトリウムの質量％が０．００００３質量％〜０．１質量％の範囲内にあるものという条件も満たす。
オ．　よって、引用発明は本願発明の「２０℃でのｐＨが８〜１２である」という特定事項を満たす。
　
（３）　以上から、本願発明と引用発明とは次の一致点及び一応の相違点を有する。
一致点：
　「皮膚感触改善剤（但し、浴用を除く。）であって、メタケイ酸ナトリウム、オルトケイ酸ナトリウム、水ガラスからなる群より選ばれる１種または２種以上のケイ酸関連物質を有効成分として含有し、２０℃でのｐＨが８〜１２であることを特徴とする皮膚感触改善剤（但し、浴用を除く。）。」
相違点：
　前者は「肌のすべり性が優れた状態となる」ものであるのに対し、後者は上記特定事項を有さない点。
５．　判断
　上記一応の相違点について検討する。
　本願発明の「肌のすべり性が優れた状態となる」とは、本願明細書によれば、本願発明を「皮膚に塗布して使用する」という使用態様によって「皮膚のｐＨ緩衝力により、ケイ酸関連物質が弱酸性下でケイ酸として析出、皮膚上に均一に付着」するという機序で得られる皮膚状態であり、具体的には、「熟練したパネラー２０名」による「使用感（肌のなめらか感、べたつきの無さ及びすべり性の３項目）」の官能評価において「肌のすべり性」の項目で「良い」と答えた人数が１０人以上（○及び◎）となる皮膚状態をいうものと認められる（【００１１】、【００１２】、【００２０】〜【００２５】）。
　この点、引用文献１をみると、上記使用態様については記載されているが（摘示［１ｆ］）、上記機序及び皮膚状態は明記されていない。
　しかしながら、上記「４．（３）」でみたように、本願発明と引用発明とは「皮膚感触改善剤（但し、浴用を除く。）であって、メタケイ酸ナトリウム、オルトケイ酸ナトリウム、水ガラスからなる群より選ばれる１種または２種以上のケイ酸関連物質を有効成分として含有し、２０℃でのｐＨが８〜１２であることを特徴とする皮膚感触改善剤（但し、浴用を除く。）。」である点で一致するのであり、また、上記したように使用態様でも一致する。
　そうすると、本願発明の「肌のすべり性が優れた状態となる」という特定事項は、引用発明を上記使用態様で使用した際に得られる効果を特定しているにとどまると解されるから、本願発明は新たな用途を提供するものとはいえない。
　よって、上記一応の相違点は実質的な相違点ではない。
　以上から、本願発明は、引用文献１に記載された発明であり、特許法第２９条第１項第３号の規定に該当し、特許を受けることができない。
６．　請求人の主張
　請求人は、上記手続補正書（方式）において、本願発明の皮膚感触改善剤における肌のすべり性の技術的意義と、引用発明の表皮角質化促進剤における肌荒れ改善の技術的意義とは、下記（１）、（２）の点で相違するから、本願発明は特許法第２９条第１項第３号の規定に反しないと主張している。
（１）　本願発明は、１回の使用で、正常な肌であっても、肌のすべり性を優れた状態とするのに対し、引用発明は、連続の使用が必要で、正常な肌では効果が現れておらず、肌荒れ誘発要因（レチノイン酸）の影響を抑制するものである点
　確かに、引用文献１では、レチノイン酸による肌荒れ誘発前の肌の経表皮水分損失量（ＴＥＷＬ）は、引用発明と対照（０．５％−N-NP-15 ）とで相違しないこと、レチノイン酸による肌荒れ誘発後の肌の経表皮水分損失量（ＴＥＷＬ）は、引用発明の方が対照よりも改善されていることが記載されている（摘示［１ｆ］の【００３１】の表２）。しかしながら、相違しないのは経表皮水分損失量（ＴＥＷＬ）であって、肌のすべり性ではなく、また、経表皮水分損失量（ＴＥＷＬ）が改善されたら、肌のすべり性を優れた状態とすることができないというような技術常識も存在しない。そうすると、引用文献１の上記記載は、引用発明が、正常な肌であっても、肌のすべり性を優れた状態とするものであることを妨げない。
　そして、上記「５．」で示したとおり、本願発明と引用発明の一致点からみて、引用発明も１回の使用で、正常な肌であっても、肌のすべり性を優れた状態とするものと解される。
（２）　本願発明は、ケイ酸関連物質の析出、肌上への付着により肌のすべり性を優れた状態とするものであるのに対し、引用発明は、表皮細胞を角質化するものであり、角質化の促進により肌のすべり性が失われるのは周知である点
　本願明細書には、本願発明が、ケイ酸関連物質の析出、肌上への付着により肌のすべり性を優れた状態とするものであることは記載されていないが（析出、付着するのはケイ酸であると記載されており、ケイ酸関連物質とは記載されていない。）、仮にそうであるとしても、上記「５．」で示したとおり、本願発明と引用発明の一致点からみて、本願と同じ機序で肌のすべり性
を優れた状態とするものと解される。
　また、引用発明の「角質化促進」は、形成不全な角質層が健全な角質層となるように角質化を促進する意味と解されるところ（摘示［１ｃ］及び［１ｉ］）、形成不全な角質層を有する肌を健全な角質層を有する肌とすることにより肌のすべり性が劣る状態となるというような技術常識は存在しないから、「表皮角質化促進剤」であることは、引用発明が、肌のすべり性を優れた状態とするものであることを妨げない。
　
（３）　以上から、請求人の主張は採用できない。
７．　むすび
　以上のとおりであるから、本願発明は、引用文献１に記載された発明であり、特許法第２９条第１項第３号の規定に該当し、特許を受けることができない。
　したがって、その他の請求項に係る発明についての判断を示すまでもなく、本願は拒絶すべきものである。
　よって、結論のとおり審決する。